(57)【要約】【課題】従来とは異なる方法で、棒金トレーに収納されているべき棒金と異なる種類の棒金を回収し、出金処理を継続することのできる技術を提供することを目的とする。【解決手段】棒金出金装置は、それぞれ一種類の棒金を収納する複数の棒金トレーと、棒金トレーから棒金を取り出す出金部と、出金部を複数の棒金トレーのいずれかに位置付ける駆動部と、出金部の動作を制御する制御部とを備え、出金部は、棒金トレーから棒金を繰出すための繰出しレバーと、繰出された棒金の金種判定を行うための金種判定部と、繰出された棒金を収納するための出金口バケットとを備え、出金部は、繰出しレバーによって繰出された棒金が棒金トレーに収納されているべき棒金と異なる種類の棒金であることが前記金種判定部によって判定された場合に、前記棒金の繰出しを中止して棒金トレーに返却する、棒金出金装置。【選択図】図６
2009251706.tif 000002
【特許請求の範囲】
【請求項１】
要求された棒金を払い出す棒金出金装置であって、
それぞれ一種類の棒金を収納する複数の棒金トレーと、
前記棒金トレーから棒金を取り出す出金部と、
前記出金部を、前記複数の棒金トレーのいずれかに位置付ける駆動部と、
前記出金部の動作を制御する制御部と、
を備え、
前記出金部は、
前記棒金トレーから棒金を繰出すための繰出しレバーと、
前記繰出された棒金の金種判定を行うための金種判定部と、
前記繰出された棒金を収納するための出金口バケットと、
を備え、
前記出金部は、前記繰出しレバーによって繰出された棒金が前記棒金トレーに収納されているべき棒金と異なる種類の棒金であることが前記金種判定部によって判定された場合に、前記棒金の繰出しを中止して前記棒金トレーに返却する、棒金出金装置。
【請求項２】
請求項１記載の棒金出金装置であって、
前記棒金トレーは、少なくとも前記金種判定部で正しい種類の棒金であると判断されるまでは、当該棒金トレーの先端から２個目の棒金を、前記棒金トレーの先端にある繰出し位置の手前で停止するストッパ機構を備える、棒金出金装置。
【請求項３】
請求項１又は２記載の棒金出金装置であって、さらに、
前記棒金トレーに収納されているべき棒金と異なる種類の棒金の回収を行う回収ボックスを備え、
前記制御部は、要求された棒金の出金終了後に、前記棒金トレーに収納されているべき棒金と異なる種類の棒金を前記出金口バケットへ収納した後、前記回収ボックスへと回収する回収処理を実行する、棒金出金装置。
【請求項４】
請求項１ないし３のいずれか一項記載の棒金出金装置であって、
前記回収ボックスは前記棒金出金装置に固定され、
前記制御部は、前記回収処理において、前記出金部を前記回収ボックスの位置まで移動させた上で前記出金口バケットの一部を開放することによって、前記回収ボックスへ棒金を回収する、棒金出金装置。
【発明の詳細な説明】
【技術分野】
【０００１】
本発明は棒金を出金する技術に関する。
【背景技術】
【０００２】
棒金払出装置とは、両替などの際に棒金（所定の枚数の硬貨を積層した状態で包装したもの）を払い出す硬貨取り扱い装置である。従来の棒金出金装置では、棒金収納部に収納されているべき棒金と異なる種類の棒金（以下、「異種棒金」と呼ぶ）は、リジェクト棒金収納部へ回収して、出金処理を継続していた（例えば特許文献１）。
【０００３】
【特許文献１】特開２００６−４１０２号公報
【０００４】
しかし、この技術では、異種棒金が検出されるたびに、棒金取込み部（ホッパ部）をリジェクト棒金収納部の位置まで移動させる必要があるため、全体の出金処理にかなりの時間を要するという問題があった。
【発明の開示】
【発明が解決しようとする課題】
【０００５】
本発明は、従来よりも短時間で出金処理を行うことのできる技術を提供することを目的とする。
【課題を解決するための手段】
【０００６】
本発明は、上述の課題の少なくとも一部を解決するためになされたものであり、以下の形態又は適用例として実現することが可能である。
【０００７】
[適用例１]
要求された棒金を払い出す棒金出金装置であって、
それぞれ一種類の棒金を収納する複数の棒金トレーと、
前記棒金トレーから棒金を取り出す出金部と、
前記出金部を、前記複数の棒金トレーのいずれかに位置付ける駆動部と、
前記出金部の動作を制御する制御部と、
を備え、
前記出金部は、
前記棒金トレーから棒金を繰出すための繰出しレバーと、
前記繰出された棒金の金種判定を行うための金種判定部と、
前記繰出された棒金を収納するための出金口バケットと、
を備え、
前記出金部は、前記繰出しレバーによって繰出された棒金が前記棒金トレーに収納されているべき棒金と異なる種類の棒金であることが前記金種判定部によって判定された場合に、前記棒金の繰出しを中止して前記棒金トレーに返却する、棒金出金装置。
この棒金出金装置によれば、異種棒金は棒金トレーに直ちに返却されるため、従来よりも短時間で出金処理を行うことができる。
【０００８】
[適用例２]
適用例１記載の棒金出金装置であって、
前記棒金トレーは、少なくとも前記金種判定部で正しい種類の棒金であると判断されるまでは、当該棒金トレーの先端から２個目の棒金を、前記棒金トレーの先端にある繰出し位置の手前で停止するストッパ機構を備える、棒金出金装置。
この棒金出金装置によれば、異種棒金を元の棒金トレーに容易に返却することができる。
【０００９】
[適用例３]
適用例１又は２記載の棒金出金装置であって、さらに、
前記棒金トレーに収納されているべき棒金と異なる種類の棒金の回収を行う回収ボックスを備え、
前記制御部は、要求された棒金の出金終了後に、前記棒金トレーに収納されているべき棒金と異なる種類の棒金を前記出金口バケットへ収納した後、前記回収ボックスへと回収する回収処理を実行する、棒金出金装置。
この棒金出金装置によれば、異種棒金の回収を出金処理が終了した後に行うことができる。
【００１０】
[適用例４]
適用例１ないし３のいずれか一項記載の棒金出金装置であって、
前記回収ボックスは前記棒金出金装置に固定され、
前記制御部は、前記回収処理において、前記出金部を前記回収ボックスの位置まで移動させた上で前記出金口バケットの一部を開放することによって、前記回収ボックスへ棒金を回収する、棒金出金装置。
この棒金出金装置によれば、回収ボックスが固定されるため、駆動部に対する負担を小さくすることができる。
【００１１】
なお、本発明は、種々の態様で実現することが可能である。例えば、棒金出金装置及び方法、棒金出金装置を備えた現金自動取引装置、棒金出金装置を備えた金融システム等の形態で実現することができる。
【発明を実施するための最良の形態】
【００１２】
次に、本発明の実施の形態を実施例に基づいて以下の順序で説明する。
Ａ．実施例１：
Ｂ．実施例２：
Ｃ．変形例：
【００１３】
Ａ．実施例１：
図１は、本発明の一実施例としての棒金出金装置を組み込んだ現金自動取引装置の概略構成を示す説明図である。現金自動取引装置１００は、操作パネル１１０と、硬貨入金口１２０と、明細書出力口１３０と、硬貨返却口１４０と、紙幣入出金口１５０と、棒金出金装置２００とを備えている。棒金出金装置２００は、現金自動取引装置１００の一部として取り付けられ、外面には扉１６０と、棒金取り出し口１７０とを備えている。利用者は、操作パネル１１０を操作することにより、所望の操作をすることができる。例えば、利用者が両替操作を選択した場合は以下の動作が行われる。利用者が、硬貨入金口１２０及び紙幣入出金口１５０に紙幣、硬貨を入金し、棒金の金種と本数とを入力すると、この入力に応じた本数の棒金が棒金取り出し口１７０へと払い出される。その後、取引の内容を記載した明細書が明細書出力口１３０から出力される。また、釣銭がある場合には硬貨返却口１４０へと返却される。なお、両替に使用される棒金は、作業者により、あらかじめ棒金出金装置２００内部に充填される。この棒金の充填作業は、棒金出金装置２００の前面に設けられる扉１６０を開放することにより行う。
【００１４】
図２は、棒金出金装置２００を横から見た場合の概略構成を示す説明図である。棒金出金装置２００は、トレー収納部２１０と、出金部３００と、支柱２３０と、移動ベルト２４０と、制御部２５０と、回収ボックス２６０と、棒金取り出し口１７０とを備えている。トレー収納部２１０は、複数の棒金トレー２２０を収納可能なキャビネットである。棒金トレー２２０は、複数の棒金ＰＣを並列に収納可能なトレーであり、出金部３００側が下になるように勾配をつけてトレー収納部２１０に収納されている。そのため、棒金トレー２２０の内部では、並列に収納された棒金ＰＣは常に出金部３００側へ寄った状態となる（図では、並列に収納された棒金ＰＣの中央部分の棒金の記載は省略している）。出金部３００は、支柱２３０に支えられ、移動ベルト２４０によって上下方向に移動することが可能であり、棒金トレー２２０から棒金を繰出す役割を果たす。棒金の繰出しが終了すると出金部３００は最上部へ移動し、その後、棒金取り出し口１７０の扉１７１を開くことにより、利用者は出金部３００内にある棒金を取り出すことができる。制御部２５０は、出金部３００への棒金の繰出し指示、出金部３００の移動指示、棒金取り出し口１７０の扉開閉指示を行うほか、以下に説明する各種の処理の制御を実行する。回収ボックス２６０は、棒金トレーに収納されているべき棒金と異なる種類の棒金（以下、「異種棒金」と呼ぶ）を回収するための箱であり、その上面部は開口している。
【００１５】
図３は、出金部３００の概略構成を示す説明図である。出金部３００は、穴検知センサ３２０と、外形判別センサ３３０と、２本出し検知センサ３４０と、コード判別センサ３５０と、繰出しレバー３６０と、出金口バケット３７０と、回収ゲート３８０と、繰出しモータ３９０とを備えている。穴検知センサ３２０と２本出し検知センサ３４０は、例えばフォトインタラプタとしてそれぞれ構成されている。
【００１６】
穴検知センサ３２０及び外形判別センサ３３０は、繰出される棒金の金種を判別するためのセンサである。制御部２５０は、穴検知センサ３２０で検知された穴の有無と、外形判別センサ３３０で判別された棒金の外形とに基づいて棒金の金種を判別する。２本出し検知センサ３４０は、本来１本ずつ繰出されるべき棒金が２本以上繰出された場合を判別するためのセンサである。制御部２５０は、外形判別センサ３３０によって棒金の外形が判別されている時に、２本出し検知センサ３４０が遮光された場合には、２本の棒金が同時に繰出されているものと判断する。コード判別センサ３５０は、棒金トレー２２０にどのような金種の棒金が収納されているかを判別するためのセンサである。この判別は、例えば棒金トレー２２０の先端部に、あらかじめ金種別のバーコードを貼付しておき、それを読み取ることで実現することができる。繰出しレバー３６０は、反時計回りに回転することで棒金トレー２２０から棒金ＰＣを１本ずつ繰出すレバーであり、この回転範囲は、繰出しレバーストッパ３６１によって制限される。繰出しレバー３６０により繰出された棒金ＰＣは、出金口バケット３７０へ収納される。出金口バケット３７０は、棒金ＰＣの残留を検知するための残留検知センサ３７１を備えている。残留検知センサ３７１は、例えばフォトインタラプタとして構成されている。残留検知センサ３７１により、例えば、使用者による棒金の取り忘れ等を検知することが可能である。回収ゲート３８０は、異種棒金を排出するための扉であり、ゲート駆動機構３８１により開閉される。繰出しモータ３９０は、繰出しレバー３６０を回転させるためのモータである。
【００１７】
図４は、棒金トレー２２０の概略構成を示す説明図である。図４（Ａ）は、棒金トレー２２０の全体を示す斜視図であり、その内部構造が解るように透過して図示している。棒金トレー２２０の上面部は開口部を有しており、内部の棒金ＰＣは露出した状態である。ここでは、棒金トレー２２０に３本の棒金ＰＣが格納された状態を示している。図４（Ｂ）は、図４（Ａ）記載の棒金トレー２２０の側面図である。この棒金トレー２２０は、ストッパ２２１と、ストッパ解除機構２２２とを備えている。ストッパ２２１は棒金トレー２２０の先端から１個目の棒金と２個目の棒金の中間に、その先端が位置するように設けられ、図４（Ｂ）の状態では先端から２個目の棒金の移動を妨げている。ストッパ解除機構２２２はその端部２２３への押圧の有無により、紙面に対して水平方向ＭＶに移動可能である。図４（Ｃ）は、ストッパ解除機構２２２が右側へと移動した時の棒金トレー２２０の側面図を示している。ストッパ解除機構２２２が右側に移動することで、ストッパ２２１は図のように押し下げられ、先端から２個目の棒金が棒金トレー２２０の先端部の位置に移動可能となる。なお、棒金トレー２２０の先端部の位置ＰＰを、「繰出し位置ＰＰ」とも呼ぶ。図４（Ｄ）は、図４（Ｂ）記載の棒金トレー２２０の上面図である。説明の便宜のため、棒金ＰＣは透過して図示している。棒金トレー２２０の出金部３００側（図の下側）は、繰出しレバー３６０が棒金をすくい上げるための凹部を２箇所備えている。また、当該凹部の左右２箇所からストッパ２２１の先端が突出し、これにより、先端から２個目の棒金の転がりを防止している。
【００１８】
図５は、出金処理の処理手順を示すフローチャートである。ステップＳ１０において制御部２５０は、出金部３００へ両替指示を出す。ステップＳ２０において制御部２５０は、両替のために必要な金種の棒金を格納する棒金トレー２２０へ、出金部３００を移動させる。ステップＳ３０では、出金部３００が棒金の繰出しを行う。ステップＳ４０において制御部２５０は、繰出した棒金の金種を判定する。金種判定の結果、棒金トレーに収納されているべき棒金と異なる種類の棒金（異種棒金）と判断した場合（異常）は、ステップＳ６０において、出金部３００が当該棒金を棒金トレー２２０へ戻す。この戻し処理は、繰出しレバー３６０を繰出し時とは逆方向に回転させることにより、途中まで繰出された棒金を元の棒金トレー２２０に戻すことによって行われる。一方、棒金トレーに収納されているべき棒金と同じ種類の棒金と判断した場合（正常）は、ステップＳ５０において出金部３００が、当該棒金を出金口バケット３７０へ投入する。ステップＳ７０において制御部２５０は、要求された金額分の棒金を出金口バケット３７０に格納したか否かを判断する。格納していない場合は、ステップＳ２０へ戻り、要求された金額分の棒金を出金口バケット３７０に格納したと判断するまで上記動作を繰り返す。格納した場合は、制御部２５０は棒金取り出し口１７０まで出金部３００を上昇させ、棒金取り出し口１７０の扉１７１を開く。これにより、使用者は両替された棒金を取り出すことができる。その後、ステップＳ９０において制御部２５０は、ステップＳ６０でトレーに戻した棒金の回収処理を行う。なお、棒金回収処理については後述する。
【００１９】
図６は、出金部３００による棒金の繰出し動作を示す説明図である。図６（Ａ）は、図５で説明したステップＳ２０及びＳ３０の状態を示している。出金部３００が、必要な金種の棒金を格納する棒金トレー２２０の位置に停止すると、当該棒金トレー２２０が出金部３００側へ突出する。なお、棒金トレー２２０を出金部３００側へ突出させる機構は、便宜上図示を省略している。この状態で、繰出しレバー３６０は、繰出しモータ３９０により回転方向ＲＵに回転し、先端から１個目の棒金ＰＣ１を繰出す。図６（Ｂ）は、図５で説明したステップＳ４０の状態を示している。穴検知センサ３２０は、繰出しレバー３６０により繰出された棒金ＰＣ１の硬貨の穴の有無を検出する。同時に外形判別センサ３３０が、繰出しレバー３６０により繰出された棒金ＰＣ１の外形を判別する。更に、２本出し検知センサ３４０により、繰出された棒金が１本であるか否かを判別する。このとき、棒金トレー２２０の先端から２本目の棒金ＰＣ２はストッパ２２１によって、棒金トレー２２０先端への移動を妨げられている。棒金の金種が要求された金種と一致している場合は、繰出しレバー３６０は図６（Ｃ）に示すように、回転方向ＲＵへ更に回転し、棒金ＰＣ１を出金口バケット３７０へと格納する。このとき、繰出しレバー３６０により、ストッパ解除機構２２２が押し上げられて右側に移動する。これにより、ストッパ２２１が図のように押し下げられ、先端から２個目の棒金ＰＣ２が先端へと移動する。図６（Ｄ）は、図５で説明したステップＳ６０の状態を示している。繰出しレバー３６０は回転方向ＲＤに回転し、棒金ＰＣ１は元の棒金トレー２２０へと格納される。このとき、先端から２個目の棒金ＰＣ２はストッパ２２１により固定されているため、棒金ＰＣ１を元の先端位置へと戻すことができる。なお、図５のステップＳ６０において、異種棒金を元の棒金トレー２２０に戻す場合には、前述の通り、図６（Ｂ）の状態から繰出しレバー３６０が右方向（回転方向ＲＤ）に回転する。こうして異種棒金が戻された棒金トレー２２０は、制御部２５０内に出金不可トレーとして登録され、以下で説明する棒金回収処理が終わるまで、そのトレーからの棒金の出金が禁止される（なお、出金不可トレーを「異種棒金収納トレー」とも呼ぶ）。通常は、同じ金種の棒金を収納する棒金トレー２２０が複数個設けられているので、その一部が出金不可トレーとなっても、棒金の出金処理を問題なく行うことが可能である。
【００２０】
図７は、棒金回収処理（図５で説明したステップＳ９０）の処理手順を示すフローチャートである。ステップＳ９１において制御部２５０は、異種棒金収納トレーの有無を判定する。異種棒金収納トレーがない場合は処理を終了し、異種棒金収納トレーがある場合は、ステップＳ９２において制御部２５０が、当該異種棒金収納トレー２２０へ出金部３００を移動させる。ステップＳ９３において出金部３００は、当該異種棒金収納トレー２２０の先端から１個目の棒金を繰出す。本実施例では、異種棒金と判定された棒金は当該棒金トレーの先端（元あった位置）へと戻されるため、先端から１個目の棒金を繰出せばよい。ステップＳ９４において出金部３００は、繰出された棒金を出金口バケット３７０へ格納する。ステップＳ９５において制御部２５０は、全ての棒金トレー２２０に対して異種棒金の回収が終了したか否かを判定する。異種棒金が残っている場合は、ステップＳ９２へ戻り、全ての異種棒金を出金口バケット３７０に格納したと判断するまで上記動作を繰り返す。異種棒金が残っていない場合は、ステップＳ９６において制御部２５０が、出金部３００を回収ボックス２６０の位置に移動させる。その後、ステップＳ９７において制御部２５０は、ゲート駆動機構３８１により出金部３００の回収ゲート３８０を開放し、異種棒金と判定された棒金を回収ボックス２６０へと格納する。
【００２１】
図８は、ステップＳ９６、Ｓ９７の様子を示す説明図である。出金部３００が回収ボックス２６０の上部の位置に移動して停止すると、回収ゲート３８０が開放される。出金口バケット３７０の底部は回収ゲート３８０側に向かって下り傾斜となっているため、棒金ＰＣは自重により、回収ボックス２６０へと落下する。
【００２２】
このように、第１実施例では、異種棒金が検出されたときにその棒金をトレーに戻した後、出金処理を継続するので、出金処理を従来よりも短時間で完了することが可能である。また、出金処理を終えた後に異種棒金の回収処理を行うため、棒金トレーに異種棒金が混入した場合であっても異種棒金を別途回収することができる。
【００２３】
Ｂ．実施例２： 
図９は、第２実施例における棒金出金装置２００ａを横から見た場合の概略構成を示す説明図である。図２に示した第１実施例における棒金出金装置２００との違いは、回収ボックス２６０を備えていない点、及び、出金部３００の回収ゲート３８０とゲート駆動機構３８１が省略されている点だけであり、他の構成は第１実施例と同じである。
【００２４】
図１０は、第２実施例における出金部３００の処理手順を示すフローチャートである。図５に示した第１実施例における処理手順との違いは、ステップＳ９０の棒金回収処理を含まない点だけであり、他の処理手順は第１実施例と同じである。第２実施例において、棒金回収処理は、出金処理の最後に行われるのではなく、作業者の指示に応じて出金処理実行時以外の任意のタイミングで実行される。
【００２５】
図１１は、第２実施例における棒金回収処理の処理手順を示すフローチャートである。ステップＳ９８において制御部２５０は、出金部３００へ異種棒金の回収指示を出している。この回収指示は、例えば、作業者が操作パネル１１０から異種棒金の回収操作を行う等により発生する。ステップＳ９１からステップＳ９５までは、図７で説明した第１実施例の場合と同様である。制御部２５０は、ステップＳ９５において異種棒金が残っていないと判断した場合、ステップＳ９９で、出金部３００を棒金取り出し口１７０へ移動させる。その後、制御部２５０が、出金部３００にある棒金取り出し口１７０の扉１７１を開く。
【００２６】
図１２は、第２実施例における棒金回収処理の動作を示す説明図である。前記の通り、異種棒金の回収を終えると制御部２５０は、出金部３００を最上部の棒金取り出し口１７０まで移動させ、図のように棒金取り出し口１７０の扉１７１を開く。これにより、作業者は回収された棒金を取り出すことが可能となる。
【００２７】
このように、回収ボックスを備えない構成としても、第１実施例と同様に従来よりも短時間で出金処理を行うことができる。さらに第２実施例の場合は、回収ボックスを省略するため棒金回収装置の小型化が可能である。
【００２８】
Ｃ．変形例： 
なお、この発明は上記の実施例や実施形態に限られるものではなく、その要旨を逸脱しない範囲において種々の態様において実施することが可能であり、例えば次のような変形も可能である。
【００２９】
Ｃ１．変形例１：
上記第１実施例では、回収ゲートを出金部の側面に備える構成としたが、他の部分に備える構成とすることもできる。例えば、回収ゲートを出金部の底面に設け、回収ボックスを棒金出金装置の底面（出金部の下部）に設けることも可能である。また、上記第１実施例では、回収ボックスは固定されるものとしたが、出金部と回収ボックスとが一体となって共に動く構成とすることも可能である。
【００３０】
Ｃ２．変形例２：
上記第１実施例では、出金処理の最後に棒金回収処理を一連の処理として行うものとしたが、この代わりに、あらかじめ決められた時刻になると棒金回収処理を行い、回収した異種棒金を回収ボックスへ収納するような制御にすることも可能である。
【図面の簡単な説明】
【００３１】
【図１】本発明の一実施例としての棒金出金装置を組み込んだ現金自動取引装置の概略構成を示す説明図である。
【図２】棒金出金装置２００を横から見た場合の概略構成を示す説明図である。
【図３】出金部３００の概略構成を示す説明図である。
【図４】棒金トレー２２０の概略構成を示す説明図である。
【図５】出金処理の処理手順を示すフローチャートである。
【図６】出金部３００による棒金の繰出し動作を示す説明図である。
【図７】棒金回収処理（図５で説明したステップＳ９０）の処理手順を示すフローチャートである。
【図８】ステップＳ９６及びＳ９７の様子を示す説明図である。
【図９】第２実施例における棒金出金装置２００ａを横から見た場合の概略構成を示す説明図である。
【図１０】第２実施例における出金部３００の処理手順を示すフローチャートである。
【図１１】第２実施例における棒金回収処理の処理手順を示すフローチャートである。
【図１２】第２実施例における棒金回収処理の動作を示す説明図である。
【符号の説明】
【００３２】
１００…現金自動取引装置
１１０…操作パネル
１２０…硬貨入金口
１３０…明細書出力口
１４０…硬貨返却口
１５０…紙幣入出金口
１６０…扉
１７０…棒金取り出し口
１７１…扉
２００、２００ａ…棒金出金装置
２１０…トレー収納部
２２０…棒金トレー
２２１…ストッパ
２２２…ストッパ解除機構
２３０…支柱
２４０…移動ベルト
２５０…制御部
２６０…回収ボックス
３００…出金部
３２０…穴検知センサ
３３０…外形判別センサ
３４０…検知センサ
３５０…コード判別センサ
３６０…繰出しレバー
３６１…繰出しレバーストッパ
３７０…出金口バケット
３７１…残留検知センサ
３８０…回収ゲート
３８１…ゲート駆動機構
３９０…繰出しモータ
【図１】
2009251706.tif 000003
【図２】
2009251706.tif 000004
【図３】
2009251706.tif 000005
【図４】
2009251706.tif 000006
【図５】
2009251706.tif 000007
【図６】
2009251706.tif 000008
【図７】
2009251706.tif 000009
【図８】
2009251706.tif 000010
【図９】
2009251706.tif 000011
【図１０】
2009251706.tif 000012
【図１１】
2009251706.tif 000013
【図１２】
2009251706.tif 000014